(57)【特許請求の範囲】
【請求項１】
画像形成処理時にプレビュー画像を作成し、作成したプレビュー画像および印刷設定内容を含む情報を、印刷設定履歴情報として保存する第１手段、
画像形成処理を行う際に、ユーザ操作によって印刷設定履歴リストの表示指令が入力されたときには、第１手段によって保存されている印刷設定履歴情報に含まれているプレビュー画像に基づいて、印刷設定別の出力イメージサンプルのリストからなる印刷設定履歴リストを生成する第２手段、
第２手段によって生成した印刷設定履歴リストを表示器に表示させる第３手段、ならびに
表示器に表示された印刷設定履歴リストから出力イメージサンプルが選択される毎に、現在の印刷設定内容を更新させるための設定内容更新処理を行う第４手段を備えており、  第４手段は、第３手段によって印刷設定履歴リストが表示器に表示された後において、最初に１つの出力イメージサンプルが選択された際には、現在の印刷設定内容を選択された出力イメージサンプルに対応する印刷設定内容に変更させる手段、および既に１以上の出力イメージサンプルが選択されている状態において、印刷設定履歴リストから未選択の出力イメージサンプルの１つが選択された際には、今回選択された出力イメージサンプルに対応する印刷設定内容に含まれている設定項目のうち、現在の印刷設定内容に含まれていない設定項目を、現在の印刷設定内容に追加する手段を備えていることを特徴とする画像形成装置。
【請求項２】
表示器に表示された印刷設定履歴リストから出力イメージサンプルが選択される毎に、印刷設定履歴リスト内の各未選択の出力イメージサンプルそれぞれについて、その出力イメージサンプルに対応する印刷設定内容に、今回選択された出力イメージサンプルに対応する印刷設定内容に含まれている設定項目と併用できない設定項目が含まれているか否かを判別する手段、および
今回選択された出力イメージサンプルに対応する印刷設定内容に含まれている設定項目と併用できない設定項目が含まれていると判別された未選択の出力イメージサンプルに対しては、それ以降その出力イメージサンプルを選択できないようにさせる手段、
を備えていることを特徴とする請求項１に記載の画像形成装置。
【請求項３】
画像形成処理を行うに際しては、ユーザにユーザＩＤを入力させ、入力されたユーザＩＤに基づいてユーザを確認するログイン処理を行う手段を備えており、  第１手段は、画像形成処理時にプレビュー画像を作成する手段、印刷設定履歴情報中に、今回作成したプレビュー画像と印刷設定内容が同じ印刷設定履歴情報が存在するか否かを判別する手段、今回作成したプレビュー画像と印刷設定内容が同じ印刷設定履歴情報が存在している場合には、当該印刷設定履歴情報を削除した後に、今回作成したプレビュー画像、印刷設定内容およびユーザＩＤを、印刷設定履歴情報として保存させる手段、ならびに今回作成したプレビュー画像と印刷設定内容が同じ印刷設定履歴情報が存在していない場合には、今回作成したプレビュー画像、印刷設定内容およびユーザＩＤを、印刷設定履歴情報として保存させる手段を備えており、
第２手段は、第１手段によって保存されている印刷設定履歴情報から印刷設定履歴リストの表示対象とすべきプレビュー画像を選択し、選択したプレビュー画像のうち、そのユーザＩＤがログイン処理で確認されたユーザＩＤと同じであるものについては、そのプレビュー画像をそのまま出力イメージサンプルとして使用し、そのユーザＩＤがログイン処理で確認されたユーザＩＤと同じでないものについては、そのプレビュー画像の原稿画像部分を予め設定されている定型画像に書き換えたものを出力イメージサンプルとして使用することにより、印刷設定履歴リストを生成することを特徴とする請求項１乃至２に記載の画像形成装置。
【請求項４】
第２手段は、印刷設定履歴情報が予め設定された所定数以内である場合には、全ての印刷設定履歴情報のプレビュー画像を印刷設定履歴リストの表示対象とすべきプレビュー画像として選択し、印刷設定履歴情報が予め設定された所定数より多く存在している場合には、新しいものから所定数の印刷設定履歴情報のプレビュー画像を印刷設定履歴リストの表示対象とすべきプレビュー画像として選択することを特徴とする請求項３に記載の画像形成装置。
【発明の詳細な説明】
【技術分野】
【０００１】
この発明は、デジタル複写機等の画像形成装置に関する。
【背景技術】
【０００２】
近年のデジタル複写機は、高機能化されてきたことに伴い、様々な画像処理機能が搭載されており、そのため、印刷前に出力イメージを予測することが難しくなりつつある。しかしながら、出力イメージを確認する目的で実際に印刷を行なうと用紙が無駄になるので、印刷前に出力イメージを確認できるように、出力イメージを大型の液晶パネルに表示させる機能（プレビュー表示機能）を実現させるための技術が提案されている（特許文献１、２参照）。特許文献２には、中折り、パンチ、ステープリング等の後処理が設定された場合でも、その出力イメージを液晶パネルに表示させる技術が開示されている。
【特許文献１】特開２００３−２４４３７２号公報
【特許文献２】特開２００３−２９６０９０号公報
【発明の開示】
【発明が解決しようとする課題】
【０００３】
この発明は、画像形成装置に対して過去に行われた印刷設定に応じた出力イメージサンプルのリストから、所望のものを選択指定するといった簡単な操作で印刷設定を行うことができ、しかも複数の出力イメージサンプルを選択することによって、選択した出力イメージサンプルそれぞれにおいて設定されている設定項目を全て含む内容の印刷設定を行うことができる画像形成装置を提供することを目的とする。
【課題を解決するための手段】
【０００４】
請求項１に記載の発明は、画像形成処理時にプレビュー画像を作成し、作成したプレビュー画像および印刷設定内容を含む情報を、印刷設定履歴情報として保存する第１手段、画像形成処理を行う際に、ユーザ操作によって印刷設定履歴リストの表示指令が入力されたときには、第１手段によって保存されている印刷設定履歴情報に含まれているプレビュー画像に基づいて、印刷設定別の出力イメージサンプルのリストからなる印刷設定履歴リストを生成する第２手段、第２手段によって生成した印刷設定履歴リストを表示器に表示させる第３手段、ならびに表示器に表示された印刷設定履歴リストから出力イメージサンプルが選択される毎に、現在の印刷設定内容を更新させるための設定内容更新処理を行う第４手段を備えており、第４手段は、第３手段によって印刷設定履歴リストが表示器に表示された後において、最初に１つの出力イメージサンプルが選択された際には、現在の印刷設定内容を選択された出力イメージサンプルに対応する印刷設定内容に変更させる手段、および既に１以上の出力イメージサンプルが選択されている状態において、印刷設定履歴リストから未選択の出力イメージサンプルの１つが選択された際には、今回選択された出力イメージサンプルに対応する印刷設定内容に含まれている設定項目のうち、現在の印刷設定内容に含まれていない設定項目を、現在の印刷設定内容に追加する手段を備えていることを特徴とする。
【０００５】
請求項２に記載の発明は、請求項１に記載の発明において、表示器に表示された印刷設定履歴リストから出力イメージサンプルが選択される毎に、印刷設定履歴リスト内の各未選択の出力イメージサンプルそれぞれについて、その出力イメージサンプルに対応する印刷設定内容に、今回選択された出力イメージサンプルに対応する印刷設定内容に含まれている設定項目と併用できない設定項目が含まれているか否かを判別する手段、および今回選択された出力イメージサンプルに対応する印刷設定内容に含まれている設定項目と併用できない設定項目が含まれていると判別された未選択の出力イメージサンプルに対しては、それ以降その出力イメージサンプルを選択できないようにさせる手段を備えていることを特徴とする。
【０００６】
請求項３に記載の発明は、請求項１乃至２に記載の画像形成装置において、画像形成処理を行うに際しては、ユーザにユーザＩＤを入力させ、入力されたユーザＩＤに基づいてユーザを確認するログイン処理を行う手段を備えており、第１手段は、画像形成処理時にプレビュー画像を作成する手段、印刷設定履歴情報中に、今回作成したプレビュー画像と印刷設定内容が同じ印刷設定履歴情報が存在するか否かを判別する手段、今回作成したプレビュー画像と印刷設定内容が同じ印刷設定履歴情報が存在している場合には、当該印刷設定履歴情報を削除した後に、今回作成したプレビュー画像、印刷設定内容およびユーザＩＤを、印刷設定履歴情報として保存させる手段、ならびに今回作成したプレビュー画像と印刷設定内容が同じ印刷設定履歴情報が存在していない場合には、今回作成したプレビュー画像、印刷設定内容およびユーザＩＤを、印刷設定履歴情報として保存させる手段を備えており、第２手段は、第１手段によって保存されている印刷設定履歴情報から印刷設定履歴リストの表示対象とすべきプレビュー画像を選択し、選択したプレビュー画像のうち、そのユーザＩＤがログイン処理で確認されたユーザＩＤと同じであるものについては、そのプレビュー画像をそのまま出力イメージサンプルとして使用し、そのユーザＩＤがログイン処理で確認されたユーザＩＤと同じでないものについては、そのプレビュー画像の原稿画像部分を予め設定されている定型画像に書き換えたものを出力イメージサンプルとして使用することにより、印刷設定履歴リストを生成することを特徴とする。
【０００７】
請求項４に記載の発明は、請求項３に記載の画像形成装置において、第２手段は、印刷設定履歴情報が予め設定された所定数以内である場合には、全ての印刷設定履歴情報のプレビュー画像を印刷設定履歴リストの表示対象とすべきプレビュー画像として選択し、印刷設定履歴情報が予め設定された所定数より多く存在している場合には、新しいものから所定数の印刷設定履歴情報のプレビュー画像を印刷設定履歴リストの表示対象とすべきプレビュー画像として選択することを特徴とする。
【発明の効果】
【０００８】
この発明によれば、画像形成装置に対して過去に行われた印刷設定に応じた出力イメージサンプルのリストから、所望のものを選択指定するといった簡単な操作で印刷設定を行うことができ、しかも複数の出力イメージサンプルを選択することによって、選択した出力イメージサンプルそれぞれにおいて設定されている設定項目を全て含む内容の印刷設定を行うことができるようになる。
【発明を実施するための最良の形態】
【０００９】
以下、図面を参照して、本発明をデジタル複写機に適用した場合の実施例について説明する。
【実施例１】
【００１０】
図１は、デジタル複写機におけるプレビュー表示機能に関係する部分の構成を示している。
【００１１】
デジタル複写機は、ＣＰＵ１、ＲＯＭ２、ＲＡＭ３、書き換え可能な不揮発性メモリ４、メッセージＲＯＭ５、ＶＲＡＭ６、画像保存用メモリ７、ＬＣＤコントローラ８、タッチパネル付きのＬＣＤ９等を備えている。
【００１２】
ＣＰＵ１はデジタル複写機全体を制御する。ＲＯＭ２には、ＣＰＵ１のプログラム等が記憶される。ＲＡＭ３は、作業用メモリとして用いられる。不揮発性メモリ４には、後述する印刷設定履歴情報等が保存される。メッセージＲＯＭ５には、ＬＣＤ９に表示されるメッセージ等が記憶されている。ＶＲＡＭ６には、ＬＣＤ９に表示される画像が展開される。ＬＣＤコントローラ８は、タッチパネル付きのＬＣＤ９を制御する。画像保存用メモリ７には、図示しない原稿読取部によって読み取られた原稿画像が一時的に保存される。      
【００１３】
このデジタル複写機は、設定内容に応じた出力イメージを印刷処理を実行する前にプレビュー表示させる機能を備えている。また、このデジタル複写機は、印刷設定を行う際に、ユーザ操作に基づいて、当該デジタル複写機において過去に印刷設定された設定内容に対応する出力イメージサンプルのリスト（以下、印刷設定履歴リストという）を表示させ、この印刷設定履歴リストを利用してユーザに印刷設定を行わせる機能を備えている。
【００１４】
たとえば、図２に示すように、ユーザＡがログインし、図２に１０１で示す原稿Ａに対して、印刷設定において”ページ付け”を設定したとする。この場合、出力イメージを表すプレビュー画像は、図２に１０２に示すようになる。また、印刷結果は、図２に１０３で示すようになる。このような印刷が行われた場合、印刷設定の内容と、プレビュー画像１０２と、ユーザ名（ユーザＩＤ）とが印刷設定履歴情報として保存される。
【００１５】
この後、ユーザＢがログインし、図３に２０１で示す原稿Ｂに対して、印刷設定において”ステイプル”を設定したとする。この場合、出力イメージを表すプレビュー画像は、図３に２０２に示すようになる。また、印刷結果は、図３に２０３で示すようになる。このような印刷が行われた場合、印刷設定の内容と、プレビュー画像２０２と、ユーザ名（ユーザＩＤ）とが印刷設定履歴情報として保存される。
【００１６】
さらにこの後、ユーザＣがログインし、図４に３０１で示す原稿Ｃに対して、印刷設定において”パンチ”を設定したとする。この場合、出力イメージを表すプレビュー画像は、図４に３０２に示すようになる。また、印刷結果は、図４に３０３で示すようになる。このような印刷が行われた場合、印刷設定の内容と、プレビュー画像３０２と、ユーザ名（ユーザＩＤ）とが印刷設定履歴情報として保存される。
【００１７】
上記のような印刷設定履歴情報を含む複数の印刷設定履歴情報が保存されている場合において、ユーザＡが原稿ａをセットして、ログインした後、タッチパネル付きのＬＣＤ９内に表示された印刷設定履歴リスト表示ボタンを押し下げすることにより、印刷設定履歴リストの表示指令が入力されると、図５の上段に示すように、印刷設定履歴情報として保存されているプレビュー画像に基づいて生成された出力イメージサンプルのリストからなる印刷設定履歴リストがＬＣＤ９に表示される。
【００１８】
この印刷設定履歴リストには、全印刷設定履歴情報のうち新しいものから所定数（例えば１０個）の印刷設定履歴情報に基づいて生成された所定数の出力イメージサンプルと、ＯＫボタン６０１と戻るボタン６０２とが表示される。印刷設定履歴リストにおいては、新しい印刷設定履歴情報に対する出力イメージサンプルほど、左側に表示されるようになっている。そして、デフォルトでは、いずれの出力イメージサンプルも、選択されていない状態（未選択状態）となっている。
【００１９】
この例では、最も左側に、図４の複写処理時に保存されたプレビュー画像３０２から生成された出力イメージサンプル５０１が表示され、その右隣に図３の複写処理時に保存されたプレビュー画像２０２から生成された出力イメージサンプル５０２が表示され、さらにその右隣に図２の複写処理時に保存されたプレビュー画像１０２から生成された出力イメージサンプル５０３が表示されている。
【００２０】
プレビュー画像１０２に対応するログインユーザＡは、今回のログインユーザＡと同じであるため、プレビュー画像１０２に対応する出力イメージサンプル５０３としては、プレビュー画像１０２がそのまま使用されている。一方、プレビュー画像２０２に対応するログインユーザＢは、今回のログインユーザＡと同じではないため、プレビュー画像２０２をそのままユーザＡに提示するのは好ましくない。そこで、プレビュー画像２０２に対応する出力イメージサンプル５０２としては、プレビュー画像２０２中の原稿画像部分が定型画像に書き換えられた画像が使用されている。同様に、プレビュー画像３０２に対応するログインユーザＣは、今回のログインユーザＡと同じではないため、プレビュー画像３０２に対応する出力イメージサンプル５０１としては、プレビュー画像３０２中の原稿画像部分が定型画像に書き換えられた画像が使用されている。
【００２１】
このような印刷設定履歴リストが表示された後に、ユーザが所望の１つの出力イメージサンプルを最初に選択すると、選択された出力イメージサンプルが反転表示される。そして、現在の印刷設定内容が、選択された出力イメージサンプルに対応する印刷設定内容に変更せしめられる。
【００２２】
この実施例では、１または複数の出力イメージサンプルが選択状態となっている場合でも、さらに設定項目（例えば、小冊子、集約、イメージ合成、ステープル、パンチ等の機能）を追加したい場合には、追加したい設定項目が反映されている未選択の出力イメージサンプルを選択することが可能である。ただし、既に設定されている設定項目と併用できないような設定項目が追加されることを禁止するために、次の様な処理が行われる。つまり、未選択の出力イメージサンプルのうち、それに対応する印刷設定内容に、今回選択された出力イメージサンプルに対応する印刷設定内容に含まれている設定項目と併用できない設定項目が含まれている出力イメージサンプルについては、選択できないように消去される。なお、このような未選択の出力イメージサンプルを消去せずに、当該未選択の出力イメージサンプルに対して選択操作が行われたとしても、その選択操作を無効にするようにしてもよい。
【００２３】
代表的な設定項目とその設定項目と併用できない設定項目（機能）との関係は、例えば、表１に示すようになる。このような関係は、複写機の機種毎に予め定められており、このような関係を表すテーブルが、予めＲＯＭ２に記憶されている。
【００２４】
【表１】
0004942691.tif 000002
【００２５】
”ステープル”とは仕上がったコピーにステープルする機能をいう。
”パンチ”とは仕上がったコピーにパンチ穴を開ける機能をいう。
”小冊子”とは、シート原稿から冊子を作る機能をいう。例えば、原稿を見開き両面にコピーし、仕上がったコピーを重ねて折ると、冊子のようになる。
”イメージ合成”とは、フォームやイメージを、原稿画像と合成してコピーする機能をいう。原稿の１ページをフォームとしたり、予め登録されているされているフォームを用いたりすることができる。
”集約”とは、２枚または４枚の原稿を１枚の用紙に集約してコピーする機能をいう。      
【００２６】
図５の上段に示すような印刷設定履歴リストが表示された後に、最初に出力イメージサンプル５０２が選択されたとすると、図５の中段に示すように、選択された出力イメージサンプル５０２が反転表示される。また、選択された出力イメージサンプル５０２に対応する印刷設定内容には設定項目”ステイプル”が含まれているので、”ステイプル”と併用できない設定項目”パンチ”を対応する印刷設定内容に含んでいる出力イメージサンプル５０１は消去される。なお、現在の印刷設定内容は、選択された出力イメージサンプル５０２に対応する印刷設定内容に変更せしめられる。
【００２７】
この後、出力イメージサンプル５０３が選択されると、図５の下段に示すように、選択された出力イメージサンプル５０３が反転表示される。この際、既に選択されている出力イメージサンプル５０２は反転表示された状態を維持する。そして、今回選択された出力イメージサンプル５０３に対応する印刷設定内容に含まれている設定項目のうち、現在の印刷設定内容に含まれていない設定項目が、現在の印刷設定内容に追加される。この例では、”ページ付け”の設定項目が現在の印刷設定内容に追加される。
【００２８】
この状態でスタートキーが押下げられた場合には、原稿が符号４０１で示すような原稿であるとすると、その出力結果は符号４０２で示すような出力結果となる。
【００２９】
図６は、複写処理の全体的な手順を示している。
【００３０】
ユーザは、複写処理を行うにあたっては、まず原稿をセットする。そして、以下に説明するような、各種操作を行う。
【００３１】
まず、複写機は、ユーザを識別するためにログイン処理を行う（ステップＳ１）。このログイン処理においては、ユーザを確認するために、ユーザにユーザＩＤを入力させ、入力されたユーザＩＤが登録されているか否かを判別する。そして、入力されたユーザＩＤが登録されている場合には、ステップＳ２に移行する。入力されたユーザＩＤが登録されていない場合には、その旨をユーザに通知して、再度、ユーザＩＤをユーザに入力させる。ログイン処理が終了すると通常の印刷設定を行うための印刷設定画面が表示される。
【００３２】
次に、通常の印刷設定操作によって印刷設定内容を変更する操作が行われたか否か（ステップＳ２）、印刷設定履歴リスト表示ボタンが押下げられたか否か（ステップＳ４）、プレビューボタンが押下げられたか否か（ステップＳ６）、スタートボタンが押下げられたか否か（ステップＳ１２）を監視する。なお、印刷設定履歴リスト表示ボタンおよびプレビューボタンは、通常の印刷設定をするための印刷設定画面上に表示されている。
【００３３】
通常の印刷設定操作によって印刷設定内容を変更する操作が行われたときには（ステップＳ２でＹＥＳ）、印刷設定内容を変更する（ステップＳ３）。そして、ステップＳ４に移行する。
【００３４】
印刷設定履歴リスト表示ボタンが押下げられたときには（ステップ４）、印刷設定履歴リストに基づく印刷設定処理を行う（ステップＳ５）。この処理の詳細については、後述する。そして、ステップＳ６に移行する。
【００３５】
プレビューボタンが押下げられたときには（ステップＳ６でＹＥＳ）、１頁目の原稿画像が既に読み込まれていることを記憶するためのフラグＦ１がセットされているか否かを判別する（ステップＳ７）。フラグＦ１がセットされていない（Ｆ１＝０）場合には、フラグＦ１をセット（Ｆ１＝１）した後（ステップＳ８）、１頁目の原稿画像を読み込んで画像保存用メモリ７に保存する（ステップＳ９）。この後、画像保存用メモリ７に保存されている１頁目の原稿画像と現時点での印刷設定内容とに基づいて、１頁目の出力イメージを表すプレビュー画像を生成して、ＲＡＭ３内の所定のエリア（以下、プレビュー画像記憶エリアという）に保存する（ステップＳ１０）。そして、生成したプレビュー画像をＬＣＤ９に表示する（ステップＳ１１）。この後、ステップＳ１２に移行する。
【００３６】
上記ステップＳ７において、フラグＦ１がセットされていると判別した場合には（Ｆ１＝１）、１頁目の原稿画像は既に読み取られて画像保存用メモリ７に保存されているので、ステップＳ１０に移行し、画像保存用メモリ７に保存されている１頁目の原稿画像と現時点での印刷設定内容とに基づいて、１頁目の出力イメージを表すプレビュー画像を生成して、ＲＡＭ３内のプレビュー画像記憶エリアに保存する。そして、生成したプレビュー画像をＬＣＤ９に表示する（ステップＳ１１）。この後、ステップＳ１２に移行する。
【００３７】
スタートボタンが押下げられたときには（ステップＳ１２でＹＥＳ）、フラグＦ１がセットされているか否かを判別する（ステップＳ１３）。フラグＦ１がセットされていない（Ｆ１＝０）場合には、全頁分の原稿画像を読み込んで画像保存用メモリ７に保存する（ステップＳ１４）。画像保存用メモリ７に保存した原稿画像のうち１頁目の原稿画像と現時点での印刷設定内容とに基づいて、１頁目の出力イメージを表すプレビュー画像を生成して、ＲＡＭ３内のプレビュー画像記憶エリアに保存する（ステップＳ１５）。そして、ステップＳ１８に移行する。
【００３８】
上記ステップＳ１３において、フラグＦ１がセットされていると判別した場合には（Ｆ１＝１）、フラグＦ１をリセット（Ｆ１＝０）した後（ステップＳ１６）、２頁目以降の原稿が存在する場合には、２頁目以降の原稿画像を順次読み込んで画像保存用メモリ７に保存する（ステップＳ１７）。そして、ステップＳ１８に移行する。
【００３９】
ステップＳ１８では、今回の印刷設定内容と同じ設定内容の印刷設定履歴情報が不揮発性メモリ４に保存されているか否かを判別する。今回の印刷設定内容と同じ設定内容の印刷設定履歴情報が不揮発性メモリ４に保存されていない場合には、今回の印刷設定内容と、ＲＡＭ３内のプレビュー画像と、今回のログイン処理で確認されたユーザＩＤとを、印刷設定履歴情報として不揮発性メモリ４に保存する（ステップＳ１９）。そして、ステップＳ２１に移行する。
【００４０】
上記ステップＳ１８において、今回の印刷設定内容と同じ設定内容の印刷設定履歴情報が不揮発性メモリ４に保存されていると判別した場合には、その印刷設定履歴情報を不揮発性メモリ４から消去した後（ステップＳ２０）、ステップＳ１９に進んで、今回の印刷設定内容と、ＲＡＭ３内のプレビュー画像と、今回のログイン処理で確認されたユーザＩＤとを、印刷設定履歴情報として不揮発性メモリ４に保存する。そして、ステップＳ２１に移行する。
【００４１】
ステップＳ２１では、画像保存用メモリ７に保存されている全頁分の原稿画像に基づいて、印刷処理を行う。
【００４２】
図７は、印刷設定履歴リストに基づく印刷設定処理（図６のステップＳ５の処理）の手順を示している。
【００４３】
まず、印刷設定履歴リストの生成処理を行う（ステップＳ３１）。この処理では、新しいものから１０個の印刷設定履歴情報に含まれている１０個のプレビュー画像に基づいて、印刷設定内容が異なる１０個の出力イメージサンプルからなる印刷設定履歴リストが生成される。この処理の詳細については後述する。
【００４４】
次に、生成した印刷設定履歴リストをＬＣＤ９に表示する（ステップＳ３２）。ステップＳ３２で印刷設定履歴リストがＬＣＤ９に表示された際には、リスト内の全ての出力イメージサンプルが未選択の状態となっている。
【００４５】
この後、出力イメージサンプルの選択操作が行われたか否か（ステップＳ３３）、ＯＫボタン６０１（図５参照）が押下げられたか否か（ステップＳ３４）および戻るボタン６０２（図５参照）が押下げられたか否か（ステップＳ３５）を監視する。
【００４６】
選択操作が行われた場合には（ステップＳ３３でＹＥＳ）、つまり、１つの出力イメージサンプルの表示領域がタッチされた場合には、フラグＦ２がセットされているか否かを判別する（ステップＳ３６）。このフラグＦ２は、今回の選択操作が、印刷設定履歴リストが表示された後において最初の選択操作であるか２回目以降の選択操作であるかを判別するためのフラグであり、初期値は０である。
【００４７】
フラグＦ２がリセット（Ｆ２＝０）されていれば、今回の選択操作が最初の選択操作であると判別し、フラグＦ２をセット（Ｆ２＝１）した後に（ステップＳ３７）、現在の印刷設定内容を、今回選択された出力イメージサンプルに対応する印刷設定内容に変更する（ステップＳ３８）。そして、ステップＳ４０に移行する。
【００４８】
上記ステップＳ３６において、フラグＦ２がセット（Ｆ２＝１）されていれば、今回の選択操作が２回目以降の選択操作であると判別し、今回選択された出力イメージサンプルに対応する印刷設定内容のうち、現在の印刷設定内容に含まれていない設定項目を現在の印刷設定内容に追加する（ステップＳ３９）。そして、ステップＳ４０に移行する。。
【００４９】
ステップＳ４０では、未選択の出力イメージサンプルのうち、それに対応する印刷設定内容の中に、今回選択された出力イメージサンプルに対応する印刷設定内容に含まれている設定項目と併用できない設定項目を含んでいるものを、印刷設定履歴リストから消去する。
【００５０】
より具体的には、まず、印刷設定履歴リスト内の各未選択の出力イメージサンプルそれぞれについて、その出力イメージサンプルに対応する印刷設定内容に、今回選択された出力イメージサンプルに対応する印刷設定内容に含まれている設定項目と併用できない設定項目が含まれているか否かを判別する。そして、今回選択された出力イメージサンプルに対応する印刷設定内容に含まれている設定項目と併用できない設定項目が含まれていると判別された未選択の出力イメージサンプルについては、それを印刷設定履歴リストから消去する。ステップＳ４０の処理終了後に、ステップＳ３３に戻る。
【００５１】
ＯＫボタン６０１が押下げられたときには（ステップＳ３４でＹＥＳ）、図６のステップＳ６に戻る。この場合、印刷設定履歴リストが消去され、通常の印刷設定をするための印刷設定画面が表示される。
【００５２】
戻るボタン６０１が押下げられたときには（ステップＳ３５でＹＥＳ）、現在の印刷設定内容をデフォルトの印刷設定内容に設定した後（ステップＳ４１）、図６のステップＳ６に戻る。この場合、印刷設定履歴リストが消去され、通常の印刷設定をするための印刷設定画面が表示される。
【００５３】
図８は、印刷設定履歴リストの生成処理（図７のステップＳ３１の処理）の手順を示している。
【００５４】
まず、変数ｎに１を設定する（ステップＳ５１）。印刷設定履歴情報の総数をＮとして、ｎ≦Ｎであるか否かを判別する（ステップＳ５２）。ｎ＞Ｎであれば、今回の処理を終了し、図７のステップＳ３２に戻る。
【００５５】
ｎ≦Ｎであれば、新しいものからｎ番目の印刷設定履歴情報を不揮発性メモリ４から読み込む（ステップＳ５３）。そして、当該当該印刷設定履歴情報に含まれているユーザＩＤが今回のログイン処理で確認されたユーザＩＤと同じであるか否かを判別する（ステップＳ５４）。
【００５６】
両ユーザＩＤが同じである場合には、当該印刷設定履歴情報に含まれているプレビュー画像をそのまま出力イメージサンプルとする（ステップＳ５５）。そして、ステップＳ５７に移行する。
【００５７】
上記ステップＳ５４において、両ユーザＩＤが同じでないと判別した場合には、当該印刷設定履歴情報に含まれているプレビュー画像における原稿画像部分を、予め設定されている定型画像に書き換えることにより、出力イメージサンプルを生成する（ステップＳ５６）。そして、ステップＳ５７に移行する。
【００５８】
ステップＳ４７では、ｎ≧１０であるか否かを判別する。ｎ≧１０であれば、図７のステップＳ３２に戻る。ｎ＜１０である場合には、ｎを１だけインクリメントした後（ステップＳ５８）、ステップＳ５２に戻る。
【図面の簡単な説明】
【００５９】
【図１】デジタル複写機におけるプレビュー表示機能に関係する部分の構成を示すブロック図である。
【図２】ユーザＡがログインし、印刷設定において”ページ付け”を設定した場合に生成されるプレビュー画像と、印刷結果を示す模式図である。
【図３】ユーザＢがログインし、印刷設定において”ステイプル”を設定した場合に生成されるプレビュー画像と、印刷結果を示す模式図である。
【図４】ユーザＣがログインし、印刷設定において”パンチ”を設定した場合に生成されるプレビュー画像と、印刷結果を示す模式図である。
【図５】ユーザＡが原稿ａをセットして、ログインした後、印刷設定履歴リスト表示ボタンを押し下げた場合にＬＣＤ９に表示される印刷設定履歴リストの例等を示す模式図である。
【図６】複写処理の全体的な手順を示すフローチャートである。
【図７】印刷設定履歴リストに基づく印刷設定処理（図６のステップＳ５の処理）の手順を示すフローチャートである。
【図８】印刷設定履歴リストの生成処理（図７のステップＳ３１の処理）の手順を示すフローチャートである。
【符号の説明】
【００６０】
１  ＣＰＵ
２  ＲＯＭ
３  ＲＡＭ
４  不揮発性メモリ
５  メッセージＲＯＭ
６  ＶＲＡＭ
７  画像保存用メモリ
８  ＬＣＤコントローラ
９  タッチパネル付きのＬＣＤ
【図１】
0004942691.tif 000003
【図２】
0004942691.tif 000004
【図３】
0004942691.tif 000005
【図４】
0004942691.tif 000006
【図５】
0004942691.tif 000007
【図６】
0004942691.tif 000008
【図７】
0004942691.tif 000009
【図８】
0004942691.tif 000010